(57)【要約】【課題】本来収容されるべきカードよりも幅寸法の小さい前端部を有する別のカードが誤って収容されることを防止できるカード用コネクタ装置の提供。【解決手段】第１，第２カード収容部７，９を仕切る中板部４に、第１カード挿入口６側から第１カード収容部７の前端側に延ばされ第１カード収容部７内方へ傾けられてなる片持ちばね部２１を形成し、片持ちばね部２１の自由端に、第１カード収容部７内において幅方向に延ばされてなる阻止部２２を形成し、第１カード挿入口６への第１カード３０の挿入時に阻止部２２が退避して第１カード３０の収容が許可され、第１カード挿入口６への第２カード４０の挿入時に阻止部２２が第２カード４０の前端部に当接し第２カード４０の収容が阻止されるようにした。【選択図】図２
2006054122.tif 000002
【特許請求の範囲】
【請求項１】
カードが挿入されるカード挿入口と、このカード挿入口と連続する空間であって前記カード挿入口から挿入された前記カードが収容されるカード収容部とを有するケースを備えるカード用コネクタ装置装置であって、
前記カードが前記カード挿入口に挿入されたときに前記カード収容部への前記カードの収容を許可し、前記カードよりも幅寸法の小さい前端部を有する別のカードが前記カード挿入口に挿入されたときに前記カード収容部への前記別のカードの収容を阻止する阻止構造部を備え、
この阻止構造部が、前記カードが前記カード収容部に収容された状態において前記カードの表面に対向する前記ケースの板部、および前記カードの裏面に対向する前記ケースの板部の少なくとも一方に設けられ、
前記カード挿入口に挿入された前記カードの前端部により押し退けられる片持ちばね部と、
この片持ちばね部に設けられ、前記カードがカード挿入口に挿入されたときに前記カードの前端部により前記片持ちばね部が押し退けられることに伴って前記カードの端部に当接しない位置に退避し、前記別のカードが前記カード挿入口に挿入されたときに前記別のカードの前端部に当接して前記別のカードの挿入方向への移動を阻止する阻止部とを有することを特徴とするカード用コネクタ装置。
【請求項２】
請求項１記載の発明において、
前記少なくとも一方の板部が可撓性を有し、この板部に前記阻止構造部が形成され、
前記片持ちばね部が、前記カード収容部の前記カード挿入口側から前記カード収容部の前端側へ延ばされ、前記カード収容部の内方へ傾けられてなり、
前記阻止部が、前記片持ちばね部の自由端に形成され、前記カード収容部内において前記カード収容部の幅方向に延ばされてなることを特徴とするカード用コネクタ装置。
【請求項３】
請求項２記載の発明において、
前記阻止部における前記カード収容部の前端側の縁部が、前記カード収容部の前端方向に膨らむ円弧状に形成されたことを特徴とするカード用コネクタ装置。
【請求項４】
請求項２記載の発明において、
前記阻止構造部が前記カード収容部の幅方向に複数設けられたことを特徴とするカード用コネクタ装置。
【請求項５】
請求項２記載の発明において、
前記阻止構造部が２つ設けられ、
これら２つの阻止構造部が、線対称になるよう形成され、
前記２つの阻止構造部のそれぞれの前記片持ちばね部が、前記少なくとも一方の板部の両側部のそれぞれに形成され、
前記２つの阻止構造部のそれぞれの前記阻止部が、互いに向き合うよう形成され、
前記２つの阻止構造部よりも前記カード挿入口側に位置する前記少なくとも一方の板部の部分と、前記２つの阻止構造部よりも前記カード収容部の前端側に位置する前記少なくとも一方の板部の部分とを結合する結合部が、前記２つの阻止構造部の間に配置されたことを特徴とするカード用コネクタ装置。
【請求項６】
第１カードが挿入される第１カード挿入口と、この第１カード挿入口と連続する空間であって前記第１カード挿入口から挿入された前記第１カードが収容される第１カード収容部と、前記第１カードよりも幅寸法の小さい前端部を有する第２カードが挿入される第２カード挿入口と、この第２カード挿入口と連続する空間であって前記第２カード挿入口から挿入された前記第２カードが収容される第２カード収容部とを有するケースを備えるカード用コネクタ装置装置であって、
前記第１カードが前記第１カード挿入口に挿入されたときに前記第１カード収容部への前記第１カードの収容を許可し、前記第２カードが前記第２カード挿入口に挿入されたときに前記第１カード収容部への前記第２カードの収容を阻止する阻止構造部を備え、
この阻止構造部が、前記第１カードが前記第１カード収容部に収容された状態において前記第１カードの表面に対向する前記ケースの板部、および前記第１カードの裏面に対向する前記ケースの板部の少なくとも一方に設けられ、
前記第１カード挿入口に挿入された前記第１カードの前端部により押し退けられる片持ちばね部と、
この片持ちばね部に設けられ、前記第１カードが前記第１カード挿入口に挿入されたときに前記第１カードの前端部により前記片持ちばね部が押し退けられることに伴って前記第１カードの前端部に当接しない位置に退避し、前記第２カードが前記第１カード挿入口に挿入されたときに前記第２カードの前端部に当接して前記第２カードの挿入方向への移動を阻止する阻止部とを有することを特徴とするカード用コネクタ装置装置。
【発明の詳細な説明】
【技術分野】
【０００１】
本発明は、パソコン等の電子機器に設けられ、カードが挿入されるカード挿入口と、このカード挿入口と連続する空間であってカード挿入口から挿入されたカードが収容されるカード収容部とを備えるカード用コネクタ装置装置に関する。
【背景技術】
【０００２】
従来のカード用コネクタ装置には、例えば特許文献１に示されるものがある。この特許文献１に示されるカード用コネクタ装置は、カードが挿入されるカード挿入口と、このカード挿入口と連続する空間であってカード挿入口から挿入されたカードが収容されるカード収容部とを有するケースを備えている。カード収容部内には、このカード収容部に本来収容されるべきカードよりも厚さ寸法の小さい別のカードがカード挿入口に挿入されたとき、カード収容部への別のカードの収容を阻止する阻止構造部が設けられている。
【０００３】
このように構成された従来のカード用コネクタ装置は、カード収容部に収容されるべきカードよりも厚さ寸法が小さいカードがカード挿入口から挿入されたときに、そのカードがカード収容部に収容されるのを阻止部材によって阻止する。これにより、カード収容部に本来収容されるべきカードよりも厚さ寸法の小さいカードがカード収容部に誤って収容されることを防止することができる。
【特許文献１】特開２００４−３９３０６号公報
【発明の開示】
【発明が解決しようとする課題】
【０００４】
前述した従来のカード用コネクタ装置は、カード収容部に本来収容されるべきカードよりも幅寸法が小さい前端部を有する別のカードについては、カード収容部への収容を阻止することができない。このため、別のカードが誤って収容された場合、別のカードの端子やコネクタ装置の端子が損傷するおそれがある。
【０００５】
本発明は、上述の実状を考慮してなされたものであり、その目的は、カード収容部に本来収容されるべきカードよりも幅寸法の小さい前端部を有する別のカードが誤って収容されることを防止することができるカード用コネクタ装置を提供することにある。
【課題を解決するための手段】
【０００６】
〔１〕  本発明は、前述の目的を達成するために、カードが挿入されるカード挿入口と、このカード挿入口と連続する空間であって前記カード挿入口から挿入された前記カードが収容されるカード収容部とを有するケースを備えるカード用コネクタ装置装置であって、前記カードが前記カード挿入口に挿入されたときに前記カード収容部への前記カードの収容を許可し、前記カードよりも幅寸法の小さい前端部を有する別のカードが前記カード挿入口に挿入されたときに前記カード収容部への前記別のカードの収容を阻止する阻止構造部を備え、この阻止構造部が、前記カードが前記カード収容部に収容された状態において前記カードの表面に対向する前記ケースの板部、および前記カードの裏面に対向する前記ケースの板部の少なくとも一方に設けられ、前記カード挿入口に挿入された前記カードの前端部により押し退けられる片持ちばね部と、この片持ちばね部に設けられ、前記カードがカード挿入口に挿入されたときに前記カードの前端部により前記片持ちばね部が押し退けられることに伴って前記カードの端部に当接しない位置に退避し、前記別のカードが前記カード挿入口に挿入されたときに前記別のカードの前端部に当接して前記別のカードの挿入方向への移動を阻止する阻止部とを有することを特徴とする。
【０００７】
このように構成した本発明では、カード収容部に本来収容されるべきカードがカード挿入口に挿入された場合、カードの前端部が阻止構造部の片持ちばね部を押し退けつつカード収容部内を移動し、これに伴って阻止構造部の阻止部がカードの前端部に当接しない位置に退避する。これにより、カード収容部へのカードの収容が許可される。
【０００８】
また、幅寸法の小さな別のカードがカード挿入口に挿入された場合、別のカードの前端部が片持ちばね部を押し退けずにカード収容部内を移動し、阻止部に当接する。これにより、別のカードの挿入方向への移動が阻止され、カード収容部に対する別のカードの収容が阻止される。この結果、カード収容部に本来収容されるべきカードよりも幅寸法の小さい前端部を有する別のカードが誤って収容されることを防止することができる。
【０００９】
〔２〕  本発明は、〔１〕記載の発明において、前記少なくとも一方の板部が可撓性を有し、この板部に前記阻止構造部が形成され、前記片持ちばね部が、前記カード収容部の前記カード挿入口側から前記カード収容部の前端側へ延ばされ、前記カード収容部の内方へ傾けられてなり、前記阻止部が、前記片持ちばね部の自由端に形成され、前記カード収容部内において前記カード収容部の幅方向に延ばされてなることを特徴とする。
【００１０】
このように構成した本発明では、阻止構造部が板部に形成されているので、阻止部材と板部が１つの部材となっている。これにより、カード収容部への別のカードの収容の阻止を、部品点数を増加させずに実現できる。
【００１１】
〔３〕  本発明は、〔２〕記載の発明において、前記阻止部における前記カード収容部の前端側の縁部が、前記カード収容部の前端方向に膨らむ円弧状に形成されたことを特徴とする。
【００１２】
このように構成した本発明では、カード収容部に収容されたカードを抜取る際に、阻止部におけるカード収容部の前端側の縁部にカードが引っ掛かることを防止できる。
【００１３】
〔４〕  本発明は、〔２〕記載の発明において、前記阻止構造部が前記カード収容部の幅方向に複数設けられたことを特徴とする。
【００１４】
このように構成した本発明では、複数の阻止構造部のいずれによってカード収容部への別のカードの収容を阻止するようにすることができる。これにより、カード収容部に対する別のカードの収容の阻止の確実性を向上させることができる。
【００１５】
〔５〕  本発明は、〔２〕記載の発明において、前記阻止構造部が２つ設けられ、これら２つの阻止構造部が、線対称になるよう形成され、前記２つの阻止構造部のそれぞれの前記片持ちばね部が、前記少なくとも一方の板部の両側部のそれぞれに形成され、前記２つの阻止構造部のそれぞれの前記阻止部が、互いに向き合うよう形成され、前記２つの阻止構造部よりも前記カード挿入口側に位置する前記少なくとも一方の板部の部分と、前記２つの阻止構造部よりも前記カード収容部の前端側に位置する前記少なくとも一方の板部の部分とを結合する結合部が、前記２つの阻止構造部の間に配置されたことを特徴とする。
【００１６】
このように構成した本発明では、２つの阻止構造部の少なくとも一方によってカード収容部への別のカードの収容を阻止するようにすることができるので、カード収容部への別のカードの収容の阻止の確実性を向上させることができる。また、阻止構造部が設けられる板部において、阻止構造部よりもカード挿入口側に位置する板部の部分と、阻止構造部よりもカード収容部の前端側に位置する板部の部分とを結合する結合部を、２つの阻止構造部の間に配置してあるので、板部の歪みに対する強度を向上させることができ、カードの挿入や抜取り時に板部にカードが引っ掛かることを防止できる。
【００１７】
〔６〕  本発明は、第１カードが挿入される第１カード挿入口と、この第１カード挿入口と連続する空間であって前記第１カード挿入口から挿入された前記第１カードが収容される第１カード収容部と、前記第１カードよりも幅寸法の小さい前端部を有する第２カードが挿入される第２カード挿入口と、この第２カード挿入口と連続する空間であって前記第２カード挿入口から挿入された前記第２カードが収容される第２カード収容部とを有するケースを備えるカード用コネクタ装置装置であって、前記第１カードが前記第１カード挿入口に挿入されたときに前記第１カード収容部への前記第１カードの収容を許可し、前記第２カードが前記第２カード挿入口に挿入されたときに前記第１カード収容部への前記第２カードの収容を阻止する阻止構造部を備え、この阻止構造部が、前記第１カードが前記第１カード収容部に収容された状態において前記第１カードの表面に対向する前記ケースの板部、および前記第１カードの裏面に対向する前記ケースの板部の少なくとも一方に設けられ、前記第１カード挿入口に挿入された前記第１カードの前端部により押し退けられる片持ちばね部と、この片持ちばね部に設けられ、前記第１カードが前記第１カード挿入口に挿入されたときに前記第１カードの前端部により前記片持ちばね部が押し退けられることに伴って前記第１カードの前端部に当接しない位置に退避し、前記第２カードが前記第１カード挿入口に挿入されたときに前記第２カードの前端部に当接して前記第２カードの挿入方向への移動を阻止する阻止部とを有することを特徴とする。
【００１８】
このように構成した本発明では、第１カードが第１カード挿入口に挿入された場合、第１カードの前端部が阻止構造部の片持ちばね部を押し退けつつカード収容部内を移動し、これに伴って阻止構造部の阻止部が第１カードの前端部に当接しない位置に退避する。これにより、第１カード収容部への第１カードの収容が許可される。
【００１９】
また、第２カードが第１カード挿入口に挿入された場合、第２カードの前端部が片持ちばね部を押し退けずに第１カード収納部内を移動し、阻止部に当接する。これにより、第２カードの挿入方向への移動が阻止され、第１カード収容部にへの第２カードの収容が阻止される。この結果、第１カード収容部に第２カードが誤って収容されることを防止することができる。
【発明の効果】
【００２０】
前述したように、本発明によれば、カード収容部に本来収容されるべきカードよりも幅寸法の小さい前端部を有する別のカードが誤って収容されることを防止することができる。これにより、別のカードが誤って収容されたことによる別のカードの端子やコネクタ装置の端子の損傷を防止することができる。
【発明を実施するための最良の形態】
【００２１】
以下に、本発明のカード用コネクタ装置の一実施形態について説明する。
【００２２】
＜１＞  本実施形態の構成を図１〜８を用いて説明する。
【００２３】
図１は、本実施形態の平面図、図２は、図１のＡ−Ａ断面図、図３は、図１のＢ方向矢視図、図４は、図１のＣ方向矢視図、図５は、図１に示す実施形態の下板部を取除いた状態を示す裏面図、図６は、図１に示す実施形態の上板部を取除いた状態を示す平面図、図７は、図２に示す第１カード収容部に収容される第１カードの斜視図、図８は、図２に示す第２カード収容部に収容される第２カードの斜視図である。
【００２４】
本実施形態は、パソコン等の電子機器に設けられるカード用コネクタ装置であり、例えば図１に示すカード用コネクタ装置１である。なお、以下の説明では、図１の上側をカード用コネクタ装置１の前側とし、同図１の左側をカード用コネクタ装置１の左側としてある。
【００２５】
図１に示すように、本実施形態は、平面視形状がほぼ矩形に形成されるケース２を備えている。このケース２は、上板部３、中板部４および下板部５を有する。ケース２の下板部５と中板部４の間には、図２，３に示すように、ケース２の後端において開口し第１カード３０（図７参照）が挿入される第１カード挿入口６と、第１カード挿入口６と連続する空間であって第１カード挿入口６から挿入された第１カード３０が収容される第１カード収容部７とが形成されている。
【００２６】
ケース２の上板部３と中板部４の間には、ケース２の後端において開口し第２カード４０（図８参照）が挿入される第２カード挿入口８と、第２カード挿入口８と連続する空間であって第２カード挿入口８から挿入された第２カード４０が収容される第２カード収容部９とが形成されている。
【００２７】
図２に示すように、第１カード収容部７内の前端部には、第１カード収容部７に収容される第１カード３０の端子と接触する第１カード用端子１０が配列されている。また、第２カード収容部９内の前端部には、第２カード収容部９に収容される第２カード４０の端子と接触する第２カード用端子１１が配列されている。また、ケース２の前端面には、図２，４に示すように、基板１２が取付けられている。この基板１２には、第１カード用端子１０と第２カード用端子１１が貫通した状態で半田付けされている。基板１２を貫通した第１カード用端子１０および第２カード用端子１１のそれぞれの端部１０ａ，１１ａは、パソコン等の電子機器に接続される。
【００２８】
また、本実施形態は、図５に示すように、第１カード収容部７に収容された第１カード３０を第１カード収容部７から押出す第１排出機構部１３を備えている。また、図６に示すように、第２カード収容部９に収容された第２カード４０を第２カード収容部９から押出す第２排出機構部１４を備えている。
【００２９】
第１排出機構部１３は、ケース２の側方においてケース２の後端よりも後方へ突出し前後方向に押圧操作される操作部１３ａと、ケース２の側方にスライド可能に設けられ操作部１３ａの押圧操作によりスライドするスライド部材１３ｂと、このスライド部材を後方向へ付勢するコイルばね１３ｃと、ケース２内に回動可能に設けられスライド部材１３ｂの前方向へのスライドに連動して回動し、第１カード３０を第１カード収容部７から押出す回動部材１３ｄとを備えている。
【００３０】
第２排出機構部１４も第１排出機構部１３と同様に構成されており、ケース２の側方においてケース２の後端よりも後方へ突出し前後方向に押圧操作される操作部１４ａと、ケース２の側方にスライド可能に設けられ操作部１４ａの押圧操作によりスライドするスライド部材１４ｂと、このスライド部材１４ｂを後方向に付勢するコイルばね１４ｃと、ケース２内に回動可能に設けられスライド部材１４ｂの前方向へのスライドに連動して回動し、第１カード３０を第１カード収容部７から押出す回動部材１４ｅとを備えている。
【００３１】
なお、図７に示すように、第１カード３０は、平面視形状が矩形に形成され、幅寸法Ｗ１に設定されたカードである。第１カード３０の前端部には、図示しないが、第１カード収容部７内に配列される第１カード用端子１０との接触が可能に配列される端子が設けられている。
【００３２】
また、図８に示すように、第２カード４０は、第１カード３０よりも小さい幅寸法の前端部を有するカードであり、例えば平面視形状が矩形に形成され、幅寸法Ｗ２に設定されたカードである。第２カード４０の前端部には、図示しないが、第２カード収容部９内に配列される第２カード用端子１１との接触が可能に配列される端子が設けられている。
【００３３】
特に、本実施形態は、第１カード３０が第１カード挿入口６に挿入されたときに第１カード収容部７への第１カード３０の収容を許可し、第２カード４０が第１カード挿入口６に挿入されたときに第１カード収容部への第２カード４０の収容を阻止する阻止構造部２０を備えている。
【００３４】
この阻止構造部２０は、第１カード３０が第１カード収容部７に収容された状態において第１カード３０の表面（上面）に対向するケース２の中板部４、および第１カード３０の裏面（下面）に対向するケース２の下板部５の少なくとも一方、例えば中板部４に設けられている。また、第１カード３０が第１カード挿入口６に挿入されたときに、第１カード３０の前端部により押し退けられる片持ちばね部２１を備えている。さらに、片持ちばね部２１に設けられ、第１カード３０が第１カード挿入口６から挿入されたときに、第１カード３０の前端部により片持ちばね部２１が押し退けられることに伴って第１カード３０の前端部に当接しない位置に退避し、第２カード４０が第１カード挿入口６に挿入されたときに、第２カード４０の前端部に当接して第２カード４０の挿入方向への移動を阻止する阻止部２２を備えている。
【００３５】
中板部４は、金属板を成形してなり、可撓性を有する。阻止構造部２０は、中板部４に形成されている。片持ちばね部２１は、図２に示すように、第１カード収容部７の第１カード挿入口６側から前側へ延ばされ、第１カード収容部７の内方へ傾けられてなる。阻止部２２は、図３に示すように、片持ちばね部２１の自由端に形成され、第１カード収容部７内において第１カード収容部７の幅方向に延ばされてなる。
【００３６】
また、阻止構造部２０は、第１カード収容部７の幅方向に複数、例えば２つ設けられている。これら２つの阻止構造部２０は、図５，６に示すように線対称になるよう形成されている。２つの阻止構造部２０のそれぞれの片持ちばね部２１は、中板部４の両側部のそれぞれに形成されており、２つの阻止構造部２０のそれぞれの阻止部２２は、互いに向き合うよう形成されている。
【００３７】
また、図５，６に示すように、阻止部２２における第１カード収容部７の前端側の縁部２２ａは、第１カード収容部７の前端方向に膨らむ円弧状に形成されている。
【００３８】
また、中板部４は、２つの阻止構造部２０よりも第１カード挿入口６側に位置する中板部４の部分４ａと、２つの阻止構造部２０よりも第１カード収容部７の前端側に位置する中板部４の部分４ｂとを結合する結合部として、阻止構造部２０の左側方に形成される左結合部４ｃと、阻止構造部２０の右側方に形成される右結合部４ｄと、２つの阻止構造部２０の間に形成される中央結合部４ｅをと有する。
【００３９】
また、第１カード挿入口６の左側端から阻止部２２の右側端までの寸法Ｗｌ、および、第１カード挿入口６の右側端から阻止部２２の左側端までの寸法Ｗｒは、それぞれ第２カード４０の幅寸法Ｗ２よりも小さく設定されており、片持ちばね部２１間の間隔寸法Ｗｓは、第２カード４０の幅寸法Ｗ２よりも大きく設定されている（図３参照）。
【００４０】
＜２＞  本実施形態の作用を図を用いて説明する。
【００４１】
［第１カード挿入口６に第１カード３０が挿入された場合］
第１カード挿入口６に第１カード３０が挿入された場合の阻止構造部２０の作用について、図９〜１８を用いて説明する。
【００４２】
図９は、第１カード挿入口に第１カードの前端部が挿入された状態を示す平面図、図１０は、図９のＤ−Ｄ断面図、図１１は、図９のＥ方向矢視図、図１２は、図９に示す状態において下板部を取除いた状態を示す裏面図、図１３は、図９に示す状態において上板部を取除いた状態を示す平面図、図１４は、第１カード収容部に対する第１カードの収容が完了した状態を示す平面図、図１５は、図１４のＦ−Ｆ断面図、図１６は、図１４に示す状態から下板部を取除いた状態を示す裏面図、図１７は、図１４に示す状態から上板部を取除いた状態を示す平面図である。
【００４３】
図９〜１１に示すように第１カード３０が第１カード挿入口６に挿入されると、図１１，１３に示すように第１カード３０の幅寸法Ｗ１が２つの片持ちばね部２１間の間隔寸法Ｗｓよりも大きいので、第１カード３０は２つ片持ちばね部２１を、図１０に示すように押し退けつつ、第１カード収容部７内を移動し、これに伴って阻止部２２は第１カード３０の前端部に当接しない位置に退避する。これにより、第１カード収容部７への第１カード３０の収容が許可される。
【００４４】
この状態で、第１カード３０がさらに前方向へ押し込まれると、図１５〜１７に示すように第１カード３０は第１カード収容部７に収容される。これにより、第１カード３０の端子（不図示）が第１カード用端子１０に接触して、パソコン等の電子機器との間で信号の授受が可能な状態となる。
【００４５】
［第１カード挿入口６の中央に第２カード４０が挿入された場合］
第１カード挿入口６の中央に第２カード４０が挿入された場合の阻止構造部２０の作用について、図１８〜２２を用いて説明する。
【００４６】
図１８は、第１カード挿入口の中央に第２カードの前端部が挿入された状態を示す平面図、図１９は、図１８のＧ−Ｇ断面図、図２０は、図１８のＨ方向矢視図、図２１は、図１８に示す状態において下板部を取除いた状態を示す裏面図、図２２は、図１８に示す状態において上板部を取除いた状態を示す平面図である。
【００４７】
図１８〜２２に示すように第２カード４０が第１カード挿入口６の中央に挿入されると、図２０〜２２に示すように片持ちばね部２１間の間隔寸法Ｗｓが第２カード４０の幅寸法Ｗ２よりも大きいので、図１９に示すように第２カード４０は左右の片持ちばね部２１のいずれにも接触せずに前方向へ移動する。
【００４８】
この状態では、第２カード４０が左右の片持ちばね部２１のいずれも押し退けていない。このため、左右の阻止部２２の両方が第２カード４０の前端部に当接して、第２カード４０の前方向への移動を阻止する。これにより、第１カード収容部７への第２カード４０の収容が阻止される。
【００４９】
［第１カード挿入口６の側端に沿って第２カード４０が挿入された場合］
第１カード挿入口６の側端、例えば左側端に沿って第２カード４０が挿入された場合の阻止構造部２０の作用について、図２３〜２７を用いて説明する。
【００５０】
図２３は、第１カード挿入口の左側端に沿って第２カードの前端部が挿入された状態を示す平面図、図２４は、図２３のＩ−Ｉ断面図、図２５は、図２２のＪ方向矢視図、図２６は、図２２に示す状態において下板部を取除いた状態を示す裏面図、図２７は、図２２に示す状態において上板部を取除いた状態を示す平面図である。
【００５１】
図２３〜２５に示すように第２カード４０が第２カード挿入口８の左側端に沿って挿入されると、図２５〜２７に示すように第２カード４０の幅寸法Ｗ２が第１カード挿入口６の左側端から阻止部２２の右側端までの寸法Ｗｌよりも大きいので、第２カード４０は左側の片持ちばね部２１を押し退けつつ、右側の片持ちばね部２１には接触せずに、第１カード収容部７内を移動する。
【００５２】
この状態では、図１９に示すように右側の片持ちばね部２１が第２カード４０の前端部により押し退けられないため、右側の阻止部２２が第２カード４０の前端部に当接して、第２カード４０の前方向への移動を阻止する。これにより、第１カード収容部７への第２カード４０の収容が阻止される。
【００５３】
なお、第１カード挿入口６の右側端に沿って第２カード４０が挿入された場合には、右側の阻止部２２によって、第１カード収容部７への第２カード４０の収容が阻止される。
【００５４】
また、第１カード３０よりも幅寸法が小さい前端部を有する第２カードには、第２カード４０以外に、幅寸法Ｗ１の本体５１から突出する幅寸法Ｗ２の左前端部５２を有する第２カード５０があるが、この第２カード５０についても、第１カード挿入口６の左側端に沿って第２カード４０が挿入された場合と同様に、左側の阻止部２２によって第１カード収容部７への収容が阻止される。
【００５５】
本実施形態によれば次の効果を得られる。
【００５６】
本実施形態は、２つの阻止構造部２０の少なくとも一方によって、第１カード収容部７への第２カード４０の収容を阻止することができる。これにより、第１カード収容部７に第２カード４０が誤って収容されることを防止することができる。したがって、第２カード４０が誤って第１カード収容部７に収容されたことによる第２カード４０の端子や第１カード用端子１０の損傷を防止することができる。
【００５７】
また、本実施形態では、可撓性を有する中板部４に阻止構造部２０が形成されているので中板部４と阻止構造部２０が１つの部材となっている。これにより、第１カード収容部７への第２カード４０の収容の阻止を、部品点数を増加させずに実現できる。
【００５８】
また、本実施形態では、阻止部２２における第１カード収容部７の前端側の縁部が、第１カード収容部７の前端方向に膨らむ円弧状に形成されている。これにより、第１カード収容部７に収容された第１カード３０を抜取る際に、第１カード３０が阻止部２２に引っ掛かることを防止できる。
【００５９】
また、本実施形態は、阻止構造部２０が第１カード収容部７の幅方向に複数、すなわち２つ設けられている。これにより、２つの阻止構造部２０の少なくとも一方によって、第１カード収容部７への第２カード４０の収容を阻止することができる。この結果、第１カード収容部７への第２カード４０の収容の阻止の確実性を向上させることができる。
【００６０】
また、本実施形態では、２つの阻止構造部２０よりも第１カード挿入口６側に位置する中板部４の部分と、２つの阻止構造部２０よりも第１カード収容部７の前端側に位置する中板部４の部分とが、２つの阻止構造部の間に配置される中央結合部４ｅにより結合されている。これにより、中板部４の歪みに対する強度を向上させることができ、第１カード挿入口６に対する第１カード３０の挿入および抜取り時や、第２カード挿入口８に対する第２カード４０の挿入および抜取り時に、第１，第２カード３０，４０が中板部４に引っ掛かることを防止することができる。
【００６１】
なお、本実施形態は、第１カード挿入口６および第１カード収容部７と、第２カード挿入口８と第２カード挿入口８とを備えているが、本発明は、これに限るものではなく、第１カード挿入口６および第１カード収容部７のみを備えるものであってもよい。
【００６２】
また、本実施形態は、阻止構造部２０と中板部４とが１つの部材となっている例であるが、本発明はこれに限るものではなく、阻止構造部と中板部４を別の部品にして阻止構造部を中板部４に固定してもよい。
【００６３】
また、本実施形態は、阻止構造部２０を中板部４に設けた例であるが、本発明はこれに限るものではなく、下板部５に設けてもよい。
【図面の簡単な説明】
【００６４】
【図１】本発明のカード用コネクタ装置の一実施形態の平面図である。
【図２】図１のＡ−Ａ断面図である。
【図３】図１のＢ方向矢視図である。
【図４】図１のＣ方向矢視図である。
【図５】図１に示す実施形態の下板部を取除いた状態を示す裏面図である。
【図６】図１に示す実施形態の上板部を取除いた状態を示す平面図である。
【図７】図２に示す第１カード収容部に収容される第１カードの斜視図である。
【図８】図２に示す第２カード収容部に収容される第２カードの斜視図である。
【図９】第１カード挿入口に第１カードの前端部が挿入された状態を示す平面図である。
【図１０】図９のＤ−Ｄ断面図である。
【図１１】図９のＥ方向矢視図である。
【図１２】図９に示す状態において下板部を取除いた状態を示す裏面図である。
【図１３】図９に示す状態において上板部を取除いた状態を示す平面図である。
【図１４】第１カード収容部に対する第１カードの収容が完了した状態を示す平面図である。
【図１５】図１４のＦ−Ｆ断面図である。
【図１６】図１４に示す状態において下板部を取除いた状態を示す裏面図である。
【図１７】図１４に示す状態において上板部を取除いた状態を示す平面図である。
【図１８】第１カード挿入口の中央に第２カードの前端部が挿入された状態を示す平面図である。
【図１９】図１８のＧ−Ｇ断面図である。
【図２０】図１８のＨ方向矢視図である。
【図２１】図１８に示す状態において下板部を取除いた状態を示す裏面図である。
【図２２】図１８に示す状態において上板部を取除いた状態を示す平面図である。
【図２３】第１カード挿入口の左側端に沿って第２カードの前端部が挿入された状態を示す平面図である。
【図２４】図２２のＩ−Ｉ断面図である。
【図２５】図２２のＪ方向矢視図である。
【図２６】図２２に示す状態において下板部を取除いた状態を示す裏面図である。
【図２７】図２２に示す状態において上板部を取除いた状態を示す平面図である。
【図２８】第１カード収容部への収容を阻止される第２カードの別の例を示す斜視図である。
【符号の説明】
【００６５】
１    カード用コネクタ装置
２    ケース
３    上板部
４    中板部
５    下板部
６    第１カード挿入口
７    第１カード収容部
８    第２カード挿入口
９    第２カード収容部
１０  第１カード用端子
１１  第２カード用端子
２０  阻止構造部
２１  片持ちばね部
２２  阻止部
３０  第１カード
４０  第２カード
５０  第２カード
【図１】
2006054122.tif 000003
【図２】
2006054122.tif 000004
【図３】
2006054122.tif 000005
【図４】
2006054122.tif 000006
【図５】
2006054122.tif 000007
【図６】
2006054122.tif 000008
【図７】
2006054122.tif 000009
【図８】
2006054122.tif 000010
【図９】
2006054122.tif 000011
【図１０】
2006054122.tif 000012
【図１１】
2006054122.tif 000013
【図１２】
2006054122.tif 000014
【図１３】
2006054122.tif 000015
【図１４】
2006054122.tif 000016
【図１５】
2006054122.tif 000017
【図１６】
2006054122.tif 000018
【図１７】
2006054122.tif 000019
【図１８】
2006054122.tif 000020
【図１９】
2006054122.tif 000021
【図２０】
2006054122.tif 000022
【図２１】
2006054122.tif 000023
【図２２】
2006054122.tif 000024
【図２３】
2006054122.tif 000025
【図２４】
2006054122.tif 000026
【図２５】
2006054122.tif 000027
【図２６】
2006054122.tif 000028
【図２７】
2006054122.tif 000029
【図２８】
2006054122.tif 000030